(57)【要約】【課題】一つの道具で「手先から付ける結び方」と「垂れから付ける結び方」ができ、しかも人の得手・不得手、又は帯柄によって何れの結び方においても左巻き、右巻の結び方ができる。また胴回りに手が１本入る緩みを持って、胴回りのタオル数枚の補整する必要がなく、しかも下がってこない。前結びも後結びもでも可能である。そのことによって一つの道具で、どんな体型の人でも、帯の長短を気にしないで袋帯・名古屋帯等を結ぶことができて、帯の高耐久性を実現できる帯結び補助具、そしてかわり結びができる帯結び補助具を提供すること。【解決手段】基盤１は、一端部側に連通する帯挿通用切溝１ａにより区分された２つの凸片部１１ａ，１１ｂを備え、その他端部側に第一の帯押え用部材２の一端部が固着されて成り、第一の帯押え用部材２の自由端部２１を基盤１の凸片部側に着脱自在に連結し、２つの凸片部１１ａ，１１ｂを連結するところに特徴を有する。【選択図】  図２
2004263351.tif 000002
【特許請求の範囲】
【請求項１】
人の胴部に当接する基盤と、この基盤の上下両側部間に架け渡された第一の帯押え用部材と、前記基盤若しくは前記第一の帯押え用部材の上下両側部間にわたり着脱自在に張設された第二の帯押え用部材とから成る帯結び補助具において、
前記基盤は、一端部側に連通する帯挿通用切溝により区分された２つの凸片部を備え、
その他端部側に前記第一の帯押え用部材の一端部が固着されて成り、
前記第一の帯押え用部材の自由端部を前記基盤の凸片部側に着脱自在に連結し、前記２つの凸片部を連結することを特徴とする帯結び補助具。
【請求項２】
基盤の上側部に配置されるように帯まくらを載置するための帯枕座が基盤又は第一の帯押え用部材に固着してあることを特徴とする請求項１記載の帯結び補助具。
【請求項３】
基盤の下側部に腰ぶとんを設けてなることを特徴とする請求項１又は２に記載の帯結び補助具。
【請求項４】
基盤には前板を兼ねた巻着用部材が連設されていることを特徴とする請求項１〜３の何れかに記載の帯結び補助具。
【請求項５】
第一の帯押え用部材は、伸縮部材を介して基盤の下側部に固着されていることを特徴とする請求項１〜４の何れかに記載の帯結び補助具。
【請求項６】
第一の帯押え用部材は、その側部から下部略中央部まで斜降する斜辺部を備えていることを特徴とする請求項１〜５の何れかに記載の帯結び補助具。
【請求項７】
第二の帯押え用部材は、帯結び可能な紐挿通部を有していることを特徴とする請求項１〜６の何れかに記載の帯結び補助具。
【発明の詳細な説明】
【０００１】
【発明の属する技術分野】
本発明は、着物用帯の帯結びを簡易迅速に行うために利用する帯結び補助具に関し、詳しくは、着物用帯を結ぶ際に人の胴部に当てがい帯を固定保持する帯結び補助具の改良に関する。
【０００２】
【従来の技術】
和装着物の着付けに際しての着物用帯の帯結びを行う場合、帯にお太鼓を形成する前段階として、まず着物用帯の手先（手側）を左肩に掛け背側の胴部中央で帯を斜めに折り、次に前帯を２巻し、その後背側中央でこの帯の手先（手側）と垂れとを一結びするか又は仮紐や仮止金具等の補助具を用いてこれを止める、という作業が一般に採られ、かかる方法により着物用帯の基礎結び状態が形成されている。
【０００３】
この手先（手側）から付けるいわゆる「手結び」を行う場合においては、着物用帯が簡単に胴部に固定されそれ故左右両手が何れも帯の固定等のために制限され帯の締め付けを両手で行うことは容易でなく、着物を着慣れていない人のみならず着物を着慣れた人にとっても、迅速にこれらの作業・動作を行うことは困難であった。またこの帯の締め付けの程度を自由に設定・調整することや巻き付けた帯が弛緩することなく維持することは困難であった。
【０００４】
この問題点を解決するという観点から、本出願人は、着物用帯にお太鼓を形成する前段階として使用する帯結び補助具として、その利用の際の取扱いが良好な「結帯具」を提案している。かかる結帯具は、要するところ、人の胴部に当接する基盤と、この基盤の上下側部間にわたり架け渡された第一の帯押え用部材と、前記基盤若しくは前記第一の帯押え用部材の上下両側部にわたり着脱自在に張設された第二の帯押え用部材とから成る結帯具である（特許文献１参照）。
【０００５】
特許文献１の結帯具によれば、お太鼓を形成する前段階として、基盤と第一の帯押え用部材とによって形成される間隙に帯通しの作業・動作を行い、着物用帯が第一の帯押え用部材の斜辺部に沿って腹側中央で屈曲され、ちょうど第一の帯押え用部材にフックした状態に基盤に固定され、その手先側が左肩に掛けられる。
【０００６】
一方、着物用帯は、その長さがそれぞれ異なる。帯の長さが短い場合には胴部に対して２巻きすることができないため「手先から付ける結び方」が採れず、「垂れから付ける結び方」が採られている。また、着物用帯は、いわゆる「袋帯」と言われるものの他に、いわゆる「名古屋帯」のように手先（手側）が縦方向に２つ折りにして芯を入れて仕立ててあるもの等各種の種類がある。
【０００７】
【特許文献１】実公平８−３２５号公報（請求項１，第１図）結帯具
【０００８】
【発明が解決しようとする課題】
しかしながら、従来、「手先から付ける結び方」と「垂れの方から付ける結び方」の両方が一つの道具でできて、その両方の結び方が無駄のないやり方で、袋帯・名古屋帯の長さに関係なく、どんな体型の人でも帯が結べる道具はなかった。
また、「手先から付ける結び方」と「垂れから付ける結び方」とをセットする帯元が安定して、止まる道具はなかった。
従来の道具は、帯を帯結び補助具の丸型の穴あきの中に帯を通して装着するが、帯元のぐらつきができて安定がない。また帯通しの際、擦れが起き易い。
【０００９】
また、その「手先から付ける結び方」を行う際に、左巻き、右巻きの何れの巻着方向にも対応できる道具はなかった。
【００１０】
同じ長さの帯でも、太い体型の人にとっては短くなり、細い体型の人には長くなる。太い体型の人は短い帯に結べない。細い体型の人に長すぎる帯は結ぶのが困難になる。
【００１１】
帯を付けるときには手が１本通るくらい緩いのが望ましい。しかし、緩くても下に下がらない道具はない。
【００１２】
そこで、本発明は以上のような問題点に鑑みてなされたものであり、本発明が、解決しようとする課題は、一つの道具で「手先から付ける結び方」と「垂れから付ける結び方」ができ、何れの結び方においても左巻き、右巻の結び方ができ、また袋帯・名古屋帯の長さに関係なく、どんな体型の人にも帯が結べ、帯の高耐久性を実現できる帯結び補助具、そしてかわり結びができる帯結び補助具を提供することである。
【００１３】
【課題を解決するための手段】
上記課題を解決するため、本願請求項１記載の発明に係る帯結び補助具は、図面に使用する符号を付して説明すると、「人の胴部に当接する基盤１と、この基盤１の上下両側部間に架け渡された第一の帯押え用部材２と、前記基盤１若しくは前記第一の帯押え用部材２の上下両側部間にわたり着脱自在に張設された第二の帯押え用部材３とから成る帯結び補助具１０において、前記基盤１は、一端部側に連通する帯挿通用切溝１ａにより区分された２つの凸片部１１ａ，１１ｂを備え、その他端部側に前記第一の帯押え用部材２の一端部が固着されて成り、前記第一の帯押え用部材２の自由端部２１を前記基盤１の凸片部側に着脱自在に連結し、前記２つの凸片部１１ａ，１１ｂを連結する」ところに特徴を有するものである。
【００１４】
請求項１の手段によれば、その形状及び構造から、一つの帯結び補助具１０で、着物用帯１００の手先１００ｂを基盤１及び第一の帯押え用部材２により形成される間隙へ帯通して装着する「手先から付ける結び方」と、帯挿通用切溝１ａに帯通して装着する「垂れから付ける結び方」の両方の結び方ができる。また双方の結び方において、両方とも左巻きと右巻きとができる。このことによって、どんな体型の人でも袋帯・名古屋帯ならば、どんな長さの帯でも結べることとなる。また人の得手・不得手、また、帯の柄位置などで左巻きと右巻きとを必要とする人にも便利である。帯の表面が弱くなっても裏面側がきれいであれば巻き方を変えることによって帯の耐久性が得られる。なお、基盤１の凸片部側における第一の帯押え用部材２との連結を着脱自在としたことにより、その凸片部側での連結を解除して基盤１と第一の帯押え用部材２との間に着物用帯１００を挟み込むようにワンタッチで容易且つ迅速に装着できるのである。つまり、いちいち基盤１及び第一の帯押え用部材２により形成される間隙へ右から左へと帯通するという手間がなく、さらに着物用帯１００を痛めることがない。
【００１５】
また、請求項２記載の発明に係る帯結び補助具は、請求項１記載の帯結び補助具１０において、「基盤１の上側部に配置されるように帯まくらを載置するための帯枕座４が基盤１又は第一の帯押え用部材２に固着してある」ところに特徴を有するものである。
【００１６】
さらに、請求項３記載の発明に係る帯結び補助具は、請求項１又は２に記載の帯結び補助具１０において、「基盤１の下側部に腰ぶとん５を設けてなる」ところに特徴を有するものである。
【００１７】
請求項４記載の発明に係る帯結び補助具は、請求項１〜３の何れかに記載の帯結び補助具１０において、「基盤１には前板を兼ねた巻着用部材６ａ，６ｂが連設されている」ところに特徴を有するものである。
【００１８】
請求項５記載の発明に係る帯結び補助具は、請求項１〜４の何れかに記載の帯結び補助具１０において、「第一の帯押え用部材２は、伸縮部材７を介して基盤１の下側部に固着されている」ところに特徴を有するものである。これにより、図６に示すように「手先から付ける結び方」の場合、手先１００ｂを引っ張り通せば擦れが生ずる下部に伸縮できるゴム等からなる伸縮部材７を付けることによって、手先１００ｂを人の手を添えて通せる。この人の手を添えることによって、着物用帯１００の擦れを防ぐことができる。
【００１９】
請求項６記載の発明に係る帯結び補助具は、請求項１〜５の何れかに記載の帯結び補助具１０において、「第一の帯押え用部材２は、その側部から下部略中央部まで斜降する斜辺部２ｂを備えている」ところに特徴を有するものである。
【００２０】
請求項７記載の発明に係る帯結び補助具は、請求項１〜６の何れかに記載の帯結び補助具１０において、「第二の帯押え用部材３は、帯結び可能な紐挿通部９を有している」ところに特徴を有するものである。
【００２１】
【発明の実施の形態】
本発明の実施の形態を実施例に基づいて図面を参照して説明する。
（実施例１）
図１には、着物用帯を結ぶ際に、人の胴部に当てがい着物用帯を固定する帯結び補助具である、本発明に係る帯結び補助具１０が示してある。また図２には、図１を裏側から見た図であり、帯結び補助具１０を人体に付ける側である裏面から見た斜視図が示してある。なお、本発明品１０は、本願請求項１〜７の発明をすべて含むものである。
【００２２】
帯結び補助具１０は、図１及び２に示すように、基盤１の表面の上下両側部間に第一の帯押え用部材２を架け渡し、また基盤１の下側部と第一の帯押え用部材２の上側部とにそれぞれ下側用３ｂと上側用３ａの第二の帯押え用部材３を設けて第一の帯押え用部材２の上下両側部間に張設し、基盤１の左右両側中央部には巻着用部材６ａ、６ｂを取付けたものである。さらに、基盤１の裏面の上側部に、帯まくらを載置するための帯枕座４が配置されるようにするとともに、基盤１の裏面の下側部に腰ぶとん５を設けてある。
【００２３】
基盤１は、略矩形状に形成してあり、その縦寸法は例えば約１８ｃｍ、横寸法は約１５ｃｍである。その上辺部の左右端にはそれぞれの角取りを施した切欠き斜降部１ｂを形成してある。基盤１は、その略中心部に当該上端部側から下端部側にかけて帯挿通用切溝１ａを形成し、基盤１を左右に並列可能な２つの凸片部１１ａ，１１ｂに分割形成し、この下端部を連結して帯挿通用切溝１ａに着物用帯１００を通した状態に装着可能としてある。このように帯挿通用切溝１ａを基盤１の上端部に連通するように形成したのは、帯結びの際に、着物用帯１００が帯結び補助具１０の上端にくるようにするためである。その２つの凸片部１１ａ，１１ｂは、柔軟性を有する厚紙又は合成樹脂の薄板等を芯材に用い、基盤１の擦過により帯に傷が生じることを防ぐため、それを布で被覆して形成してある。そして、基盤１の裏面に第一の帯押え用部材２を着脱自在に連結するするために、２つの凸片部１１ａ，１１ｂの裏面の上側部近傍にはそれぞれ連結部材１２が設けてある。連結部材１２は、例えば面ファスナー、ホック、小ハゼと挿通孔等が挙げられる。なお、基盤１は、上記寸法に何ら限定されるものではなく、縦寸法は着物用帯１００の幅よりやや長く着物用帯１００を挟持するのに充分な長さとしてあれば良いし、横寸法は着物用帯１００に被覆される長さであれば良い。
【００２４】
第一の帯押え用部材２は、略五角形に形成してあり、その左右それぞれの上部約２／３の位置から下部略中央部へ斜降する斜辺部２ｂを有する。一方、第一の帯押え用部材２の上側部には折り曲げ可能な自由端部２１が形成してあり、該自由端部２１の裏面に連結部材１２と連結対応する連結部材２２が設けてある。例えば雄面、雌面或いは雌雄共用の面ファスナー、ホック、挿通孔と小ハゼが挙げられる。また、自由端部２１の形状は基盤１の帯挿通用切溝１ａに対応する切溝が形成してあり、２つの凸片部１１ａ，１１ｂをそれぞれ独立して着脱自在に連結するようにしてある。第一の帯押え用部材２の基盤１への取付けは、その下端頂点部分を基盤１の下側部に伸縮部材７を介して固着してあり、その上側部が自由端部２１としてある。これにより、第一の帯押え用部材２を基盤１の表面の下側部から上側部へと架け渡し、この上側部において自由端部２１を基盤１の裏面に折り曲げて基盤１の凸片部側に着脱自在に連結するようにしてある。なお、伸縮部材７は例えば板状ゴム、ゴム編み状の帯ゴム、紐状ゴム、平ゴム又はこれらと非伸縮性の紐とが連結されたものが挙げられ、その固着方法は伸縮部材７の両端を基盤１と第一の帯押え用部材２にそれぞれ縫合固着してある。
【００２５】
第二の帯押え用部材３は、基盤１の上下両端に分離形成した上側用３ａと下側用３ｂとからなる。上側用３ａの基端部は第一の帯押え用部材２の自由端部２１の表面中央部に縫合固着してあり、一方下側用３ｂの基端部は基盤１の下端部中央に縫合固着してある。これら３ａ，３ｂの他端部にはそれぞれ公知の技術である嵌合具の雌雄帯を設け、これらが互いに嵌合連結することにより一体となり張設されるのである。嵌合具は、例えば合成樹脂製のプラグ（雄）とソケット（雌）とからなるのものであり、軽くて着脱容易なものが望ましい。このうち上側用３ａは、２つの板状ゴム、ゴム編み状の帯ゴム、紐状ゴム、平ゴム又はこれらと非伸縮性の紐とが連結されたものを用い、これらを互いに重ね合わせ縫合しないことにより基端部と他端部との間にいわゆる「三重帯ひも」等の紐部材を通して帯結びが可能な紐挿通部９が形成してある。
【００２６】
帯枕座４は、２つの厚地の布を巻き付けた芯材をそれぞれ布で被覆したものである。帯枕座４の形状は、一方側が面取り処理を施してある左右対称に形成してあり、帯枕座４の取付けは、この面取り処理が施された部位が外側を向くように、第一の帯押え用部材２の自由端部２１の表面に縫合固着して取付けてある。このようにするのは巻着後の帯結び補助具１０を腹部から背部又は背部から腹部へ回動させることが容易であり、回動に伴う着崩れ、擦過及び痛みを防止することができるからである。なお、帯枕座４は、帯まくらを載置するための適当な厚さを有し、基盤１と背部との間に間隙を形成して、帯の締め付けによる圧迫感を減少させることが可能な材質及び寸法を有していれば良い。
【００２７】
腰ぶとん５は、帯枕座４と同様の素材により、基盤１の裏面の下端部横方向に縫合固着したものである。着物用帯１００の垂れ部の形状等を整える目的から帯枕座４よりも小型に形成してある。また、帯結び補助具１００の回動の便宜から、帯枕座４の両側と同様に面取り処理が施してある。
【００２８】
巻着用部材６ａ，６ｂは、２つの柔軟性を有する合成樹脂の薄板等を用いて形成してあり、着物用帯１００の幅より短く形成し、着物用帯１００により被覆可能な形状としてある。巻着用部材６ａ，６ｂは、それぞれ一端部をゴム等の伸縮する連結部材６１を介して縫合固着してあり、他端部は固着しない自由端部としてある。さらに、巻着用部材６ａ，６ｂは、互いの着脱を容易とするために、係止可能な係着部材８をそれぞれ着設してあり、係着後の巻着用部材６ａ，６ｂは、重なり合った状態で前板を兼ねる形状としてある。ここで、係着部材８は、雌面、雄面からなる面ファスナー、雌雄共有の雌雄面ファスナー、又は小ハゼとこれを挿通係止する挿通孔が挙げられる。なお、係着部材８の取付けは、人の胴回りの長さ如何によらず互いに係止可能なように、例えば約５ｃｍの間隔を有して取付ければ良い。もっとも面ファスナーの場合には、一方側を一直線に着設すれば良いことは言うまでもない。
【００２９】
図３には、基盤１の上側部と、第一の帯押え用部材２の自由端部２１とを連結した状態を示してあり、図４には、図３の連結を２つの凸片部１１ａ，１１ｂ双方において解除した状態を示してある。すなわち、上述したように、基盤１の裏面の上側部近傍と、第一の帯押え用部材２の自由端部２１の裏面とに、それぞれ連結部材１２，２２を設け、自由端部２１を回動させて基盤１と第一の帯押え用部材２との連結をワンタッチで容易且つ迅速に行える。また解除も同様にして容易且つ迅速に行える。さらに、この連結又は解除の際には、凸片部１１ａ又はｂごとに行えるし、また２つの凸片部１１ａ，１１ｂを両方同時に行える。
【００３０】
つぎに、図５〜１７を参照して、帯結び補助具１０を用いて帯を結ぶ方法について詳細に説明する。この帯結び補助具１０によれば、「手先から付ける結び方」と「垂れから結び結び方」の双方の結び方ができる。なお、以下腹側で結ぶ「前結び」で手順を説明するが、背側で結ぶ「後結び」で帯結びができることは言うまでもない。
【００３１】
（手先から付ける結び方）
以下、図５〜１１を参照して手先から付ける結び方について説明する。図５に示すように、まず、着物２０の胴部に伊達締め３０を締め、この伊達締め３０の上から本帯結び補助具１０をその基盤１の裏面が腹側に位置するように巻着用部材６ａ，６ｂの係着部材８相互を係着させることにより巻着固定する。
【００３２】
次に、図６に示すように、着物用帯１００の輪を下にして、手先１００ｂを人の手を添えながら基盤１及び第一の帯押え用部材２により形成される間隙へ左から右へ帯通する。図７に示すように、手先１００ｂが帯結び補助具１０の右端部から約６０ｃｍ出たところで、帯１００を帯結び補助具１０の上側部と当接するように上方へ持ち上げて装着する。このように上側部合わせで装着するのは、後述する屈曲させた際に手先１００ｂの長さが約６０ｃｍより短くなってしまうのを防ぐためである。なお、細い体型の人や帯１００の長い人は、適宜上記帯結び補助具１０の右端部から出る長さを６０ｃｍ以上採れば良い。また、本例は左巻きであるが、手先１００ｂを右から左へ帯通すれば右巻きに結ぶことができる。
【００３３】
図８に示すように、左手で帯１００とともに帯結び補助具１０の左上部を持って手先１００ｂを斜辺部２ｂに沿って上方向へ屈曲させ、手先１００ｂを左肩に掛けておく。なお、巻着用部材６ａ，６ｂに伸縮する連結部材６１を有するので図９に示すように、帯結び補助具１０をその上部と胴部との間に隙間空間ができるように上部を引っ張って傾けることができ、一時的にこの空間に手先１００ｂを折り畳んで収納することができる。
【００３４】
この後、収納した手先１００ｂ以外の帯１００の上部を持ちながら、帯１００を人の胴部に２回巻き、左手で垂れ先１００ａ側を持ち、右手で手先１００ｂを帯結び補助具１０と胴部との間の空間から出しそのまま下ろす。さらに、図１０に示すように、第二の帯押え用部材３に取付けられた嵌合具の雌雄体を嵌合連結させ、腹側中央の位置において着物用帯１００を挟持固定する。
【００３５】
以上で帯結び補助具１０を用いた着物用帯１００の基礎結び状態が形成される。さらに、お太鼓を形成する場合には、垂れ先１００ａを広げ易く帯まくらを付け易くするために、垂れ先１００ａを帯結び補助具１０の左側で内側に折って三角形に整えると良い。その後お太鼓の柄を決め帯まくらを垂れ先１００ａに配置した後帯まくらを帯枕座４の上に付け一枚垂れ又は二重太鼓を形成し、お太鼓を完成させる。最後に、背部において巻着用部材６ａ，６ｂで兼ねる前板と胴部との間に帯１００の下側から指を入れて空気を入れ、帯１００を左から右へ少し回し、その後右手を左腹部の帯上部に入れ、左手を背部の帯下部に入れてお太鼓が背中略中央に位置するまで回し、お太鼓の形、位置、着物の襟、お端折等を整えて図１１に示すように完成である。
【００３６】
（垂れから付ける結び方）
以下、図１２〜１９を参照して垂れから付ける結び方について詳細に説明する。なお、「垂れから付ける結び方」については、以下に「手先から付ける結び方」との相違点のみを説明する。
【００３７】
「垂れから付ける結び方」においては、帯結び補助具１０に帯１００を装着してから人の腹部に付けることになる。まず、図１２に示すように、基盤１の裏側を上にして台又は平面の上に載置し、右側の自由端部２１を回動させて基盤１と第一の帯押え用部材２との係着連結を解除し、右側の凸片部１１ａを回動させる。そして、この帯結び補助具１０の上から、帯結び補助具１０の左側に垂れ先１００ａが伸び右側に手先１００ｂが伸びる状態に、帯１００を載せる。そして、図１３に示すように、帯１００を帯挿通用切溝１ａに帯１００の垂れ先１００ａが挿通した状態となるように、右側の凸片部１１ａを回動させて自由端部２１と基盤１とを連結部材１２，２２を介して係着連結する。その後、図１４に示すように、垂れ先１００ａが広がるように三角形に形を整える。そして、上記帯結び補助具１０とともに帯１００を持ち上げ、帯結び補助具１０を基盤１の裏側が腹側に位置するように付ける。
【００３８】
次に、図１５に示すように、着物用帯１００を右腰から背を通って左腰へと腰回りを一回りさせ、図１６に示すように、帯結び補助具１０の右側に着物用帯１００を左腰から手側を伸ばす。さらに、手先１００ｂに人の手を添えながら基盤１及び第一の帯押え用部材２により形成される間隙へ、帯結び補助具１０の右から左へ帯通する。ここで、手先１００ｂが背部の略中程までの長さに通したところで、図１７に示すように第二の帯押え用部材３に取付けられた嵌合具の雌雄体を嵌合連結させ、腹側中央の位置において着物用帯１００を挟持固定する。なお、帯結び補助具１０の右側に手先１００ｂのあまりが出る場合には、該あまり部分を折り曲げて第二の帯押え用部材３と第一の帯押え用部材２との間に通せば良い。
【００３９】
以上で帯結び補助具１０を用いた着物用帯１００の基礎結び状態が形成される。さらにお太鼓を形成する場合には、垂れを右肩から下に垂らして帯まくらを帯枕座４の上に取付けてお太鼓を形成し、以下「手先から付ける結び方」と同様の手順で良い。
【００４０】
このように、帯結び補助具１０によれば、一つの道具で「手先から付ける結び方」と「垂れから付ける結び方」の両方ができる。しかも、人の得手・不得手、又は帯柄に応じて、「手先から付ける結び方」と「垂れから付ける結び方」の何れの結び方においても左巻き、右巻きの結び方ができる。また、帯結び補助具１０があることによって、帯結びの際の帯１００長さの指標とすることができる。例えば手先１００ｂの長さは、予め手先１００ｂから６０ｃｍのところに糸印をしておき、「手先から付ける結び方」の帯通しの際にこの糸印と帯結び補助具１０の右端部とを合わせることにより手先１００ｂの長さを容易に採ることができる。細い体型の人や帯が長い場合には、これを基準としてそれ以上の長さに調整すれば良い。そのことによって、一つの道具で、どんな体型の人でも、帯の長短を気にしないで、袋帯・名古屋帯等を結ぶことができる。１本の「名古屋帯」を、リバーシブルに利用することもできる。例えば、図１８及び図１９に示すように「名古屋帯」の片方の面（表面）に太鼓柄又は六通を形成し、他方の面（裏面）に無地を形成しておく。その帯の裏面を使用する場合には、帯結び補助具１０から少し離れた位置で帯を三角形に整え、点線で示した位置で谷折りして折り返した後に帯と帯結び補助具１０とを人の胴部に付ければ良い。勿論、帯の表面を使用する場合には、上記図１４に示したように三角形を整えれば良い。従って、気分やその場の状況等に応じて帯の表裏面を変えて結ぶことができるのである。
【００４１】
また、胴回りに手が１本入る緩みを持って帯１００を結ぶことができ、胴回りにタオル数枚を入れて補整する必要もないし、しかも下がってこない。前から後への半回転が容易であるので「前結び」にして回すこともできる。勿論、後結びも可能である。
【００４２】
また、着物用帯１００を左巻き又は右巻きの何れの巻着方向にも巻くことができるので、着物用帯１００の片面側が擦れた場合にも巻着方向を変えることにより反対面側を表にして巻着することができ、帯の耐久性を実現できる。
【００４３】
従来の大かたの道具は仮ひもが必要であるが、本帯結び補助具１０はその仮ひもも必要でない。そのため、人が座った状態でも帯結びができる。
【００４４】
さらに、着物用帯１００を太鼓結びならば帯結び補助具１０のみで、仮ひも等で縛らなくて結ぶことができるし、着物用帯１００を捻らない。よって着物用帯１００が皺になりにくい。また、このように縛ったり捻ったりすることなく、力要らずで帯結びをすることができるので、力のない人、足腰の弱い人、又は肩の弱い人も帯結びができる。さらに、「垂れから付ける結び方」においては基盤１の一側部側において連通する帯挿通用切溝１ａが形成してあるので、この帯挿通用切溝１ａに着物用帯１００を通した状態に装着することができる。また基盤１の凸片部１１ａ又は１１ｂと自由端部２１とが連結部材１２，２２で係着連結されているので、自由端部２１を持ち上げて基盤１の表面から裏面へ回動させることにより基盤１と第一の帯押え用部材２との連結を凸片部１１ａ又は１１ｂ毎に容易且つ迅速にワンタッチでできる。また連結の解除は自由端部２１を上側に持ち上げるように回動させることにより容易且つ迅速にワンタッチでできる。さらに、着物用帯１００の手先１００ｂを基盤１及び第一の帯押え用部材２により形成される間隙へ帯通することなく装着でき、着物用帯１００の垂れ先１００ａ、手先１００ｂその他の何れの位置においても装着することができるし、その際に基盤１又は第一の帯押え用部材２に擦れて着物用帯１００を傷めるということがない。
【００４５】
以上述べたように、この帯結び補助具１０一つあれば、どんな体型の人でも、帯の長さを選ばず、しかも胴回りに手１本入る緩みを持っても緩まず落ちない。
【００４６】
また、基盤１の上側部に帯枕座４を設けているので、着物用帯１００と背との間に丸めたタオル等や補正具を挿入することが特別な事がない限り、一切必要なく、より容易且つ迅速に帯結びが行えると共に、帯枕座４は基盤１と背との間に間隙を形成するため、通気性が良く、帯の締め付けによる圧迫感が減少される。帯枕座４を左右２つ備え、それぞれが第一の帯押え用部材２の自由端部２１に並べて縫合固着してあるので、基盤１と自由端部２１との連結を着脱する際に、自由端部２１のみの場合に比較して帯枕座４を掴むことにより自由端部２１を掴み易く回動させ易い。
【００４７】
さらに、基盤１の下側部に腰ぶとん５を設けているので、腰ぶとん５を別個に巻着して帯のお太鼓及びその垂れ部の形状を整えるという手間が省略できより容易且つ迅速に帯結びが行える。
【００４８】
基盤１には前板を兼ねた巻着用部材６ａ，６ｂが連設されているので、従来のように別個に前板を装着する手間及び時間が不要となって、より容易且つ迅速に帯結びが行える。
【００４９】
一方、第一の帯押え用部材２は、伸縮部材７を介して基盤１の下側部に固着されているので、基盤１及び第一の帯押え用部材２により形成される間隙に手を添えながら帯通することができ、よって帯１００の擦れをさらに防止することができる。このように伸縮部材７が伸縮して着物用帯１００を装着し易く、帯装着時には着物用帯１００を張設された状態で基盤１と第一の帯押え用部材２との間の間隙に挟持することができる。
【００５０】
第一の帯押え用部材２は、その側部から下側部まで斜降する斜辺部２ｂを備えているので、帯１００を縛ることなく斜辺部２ｂに沿って屈曲させることができる。また、斜辺部２ｂは、左右両側に形成してあるので、「手先から付ける結び方」において左巻き又は右巻きの何れの方向へも着物用帯１００を巻着することができる。なお、「垂れから付ける結び方」において左巻き・右巻きの両方向に巻着できることは言うまでもない。
【００５１】
さらに、第二の帯押え用部材３は、帯結び可能な紐挿通部９を有しているので、つのだし等の「かわり結び」の際に、その紐挿通部９に結びつけることができ、従来のように別個に結び用補助具を装着する手間及び時間が不要となって、より容易且つ迅速に帯結びが行える。
【００５２】
以上、実施例に基づいて本発明を説明したが、本発明は上記実施例に何ら限定されるものではなく、本発明の趣旨を逸脱しない範囲内で種々の改良変形が可能である。
【００５３】
例えば、基盤は、帯挿通用切溝が一端部側から他端部側まで形成されていなくても良く、他端部手前までの所定長さに形成した凹部形状のものであっても良い。この場合、基盤と第一の帯押え用部材との連結を解除させたときの基盤が安定し、２つの凸片部の一端部側が離間するようになることを防止できる。
【００５４】
また、巻着用部材は、基盤と別体となるようにしてあっても良い。例えば巻着用部材を基盤から別体となるように形成し、これらの端部又はこれらに設けた連結部材に係着部材を設ける等して、巻着用部材と基盤とが連結部材が着脱自在に連結するようにしても良い。この場合には、凸片部の回動がしやすく、「垂れから付ける結び方」の際により帯を装着し易い。
【００５５】
【発明の効果】
請求項１記載の帯結び補助具によれば、人の胴部に当接する基盤と、この基盤の上下側部間にわたり架け渡された第一の帯押え用部材と、前記基盤若しくは前記第一の帯押え用部材の上下両側部にわたり着脱自在に張設された第二の帯押え用部材とから成る帯結び補助具において、前記基盤は、一端部側に連通する帯挿通用切溝により区分された２つの凸片部を備え、その他端部側に前記第一の帯押え用部材の一端部が固着されて成り、前記第一の帯押え用部材の自由端部を前記基盤の凸片部側に着脱自在に連結し、前記２つの凸片部を連結するので、一つの道具で「手先から付ける結び方」と「垂れから付ける結び方」ができる。しかも何れの結び方においても左巻き、右巻きの結び方ができる。また袋帯・名古屋帯の長さに関係なく、どんな体型の人にも帯が結べ、帯の高耐久性を実現できるという効果を奏する。
【００５６】
請求項２記載の帯結び補助具によれば、請求項１記載の帯結び補助具の奏する効果に加えて、基盤の上側部に配置されるように帯まくらを載置するための帯枕座が基盤又は第一の帯押え用部材に固着してあるので、着物用帯と背との間に丸めたタオル等を挿入し帯枕座を形成するという従来の背側での困難な作業が不要となり、より容易且つ迅速に帯結びが行えると共に、帯枕座は基盤と背との間に間隙を形成するため、通気性が良く、帯の締め付けによる圧迫感が減少されるという効果を奏する。
【００５７】
請求項３記載の帯結び補助具によれば、請求項１又は２に記載の帯結び補助具の奏する効果に加えて、基盤の下側部に腰ぶとんを設けているので、腰ぶとんを別個に巻着して帯のお太鼓及びその垂れ部の形状を整えるという手間が省略できより容易且つ迅速に帯結びが行えるという効果を奏する。
【００５８】
請求項４記載の帯結び補助具によれば、請求項１〜３の何れかに記載の帯結び補助具の奏する効果に加え、基盤には前板を兼ねた巻着用部材が連設されているので、従来のように別個に前板を装着する手間及び時間が不要となって、より容易且つ迅速に帯結びが行えるという効果を奏する。
【００５９】
請求項５記載の帯結び補助具によれば、請求項１〜４の何れかに記載の帯結び補助具の奏する効果に加えて、第一の帯押え用部材は、伸縮部材を介して基盤の下側部に固着されているので、伸縮部材が伸縮して指を添えながら基盤及び第一の帯押え用部材により形成される空隙に帯を挿通することができ帯を装着し易いという効果を奏する。
【００６０】
請求項６記載の帯結び補助具によれば、請求項１〜５の何れかに記載の帯結び補助具の奏する効果に加えて、第一の帯押え用部材は、その左右両側部から下側部までそれぞれ斜降する左右２つの斜辺部を備えているので、左巻き又は右巻きの何れの方向へも着物用帯を巻着することができるという効果を奏する。
【００６１】
請求項７記載の帯結び補助具によれば、請求項１〜６の何れかに記載の帯結び補助具の奏する効果に加えて、第二の帯押え用部材は、帯結び可能な紐挿通部を有しているので、つのだし等の「かわり結び」の際に、その紐挿通部に結びつけることができ、従来のように別個に結び用補助具を装着する手間及び時間が不要となって、より容易且つ迅速に帯結びが行えるという効果を奏する。
【図面の簡単な説明】
【図１】本発明の帯結び補助具を示す斜視図である。
【図２】図１の反対面側から見た上記帯結び補助具を示す斜視図である。
【図３】上記帯結び補助具の側面図である。
【図４】図３の基盤及び第一の帯押え用部材の連結を解除した状態を示す側面図である。
【図５】帯結び補助具の装着状態を示す斜視図である。
【図６】基盤及び第一の帯押え用部材により形成される間隙に手を添えながら帯通する様子を示す斜視図である。
【図７】着物用帯の手先（手側）の長さを調節している様子を示す斜視図である。
【図８】手先を屈曲させている様子を示す斜視図である。
【図９】帯結び補助具を傾けて基盤と胴部との間に空間を形成し手先を収納している様子を示す斜視図である。
【図１０】第二の帯押え用部材を連結して帯を挟持固定する様子を示す斜視図である。
【図１１】お太鼓を完成させ帯結び完成後を示す斜視図である。
【図１２】１つの凸片部と第一の帯押え用部材との連結を解除した上に帯を載置した様子を示す斜視図である。
【図１３】凸片部を回動させて基盤と第一の帯押え用部材とを連結し、帯挿通用切溝に帯が挿通した状態に付けた状態を示す斜視図である。
【図１４】垂れ先を広げるために帯を折って形を三角形に整えた状態を示す斜視図である。
【図１５】帯結び補助具と帯を人の胴部に装着した状態を示す斜視図である。
【図１６】帯を人の胴に一回りさせた状態を示す斜視図である。
【図１７】第二の帯押え用部材を連結して帯を挟持固定する様子を示す斜視図である。
【図１８】名古屋帯をリバーシブルに使う方法であって裏を使った方法を示す斜視図である。
【図１９】図１８の垂れ先を谷折りした状態を示す斜視図である。
【符号の説明】
１              基盤
１ａ            帯挿通用切溝
１１ａ，１１ｂ  凸片部
１２            係着部材
２              第一の帯押え用部材
２ｂ            斜辺部
２１            自由端部
２２            連結部材
３              第二の帯押え用部材
３ａ            上側用
３ｂ            下側用
４              帯枕座
５              腰ぶとん
６ａ，６ｂ      巻着用部材
７              伸縮部材
８              係着部材
９              紐挿通部
１０            帯結び補助具
２０            着物
３０            伊達締め
１００          着物用帯
１００ａ        垂れ先
１００ｂ        手先
【図１】
2004263351.tif 000003
【図２】
2004263351.tif 000004
【図３】
2004263351.tif 000005
【図４】
2004263351.tif 000006
【図５】
2004263351.tif 000007
【図６】
2004263351.tif 000008
【図７】
2004263351.tif 000009
【図８】
2004263351.tif 000010
【図９】
2004263351.tif 000011
【図１０】
2004263351.tif 000012
【図１１】
2004263351.tif 000013
【図１２】
2004263351.tif 000014
【図１３】
2004263351.tif 000015
【図１４】
2004263351.tif 000016
【図１５】
2004263351.tif 000017
【図１６】
2004263351.tif 000018
【図１７】
2004263351.tif 000019
【図１８】
2004263351.tif 000020
【図１９】
2004263351.tif 000021